(57)【要約】【課題】組み立てが容易であり、遮光性の良い遮光シート、及び該遮光シートを有するレンズモジュールを提供する。【解決手段】本発明により、遮光シートが提供され、該遮光シートは、光通過孔と、前記光通過孔の孔壁から外側へ延設される変形部と、前記変形部から外側へ延設される固定部とを有し、前記変形部は本体部と、前記光通過孔に連通する複数の切欠部とを備え、前記切欠部は当該遮光シートの上表面と下表面を貫通している。【選択図】図４
2018013761.tif 000002
【特許請求の範囲】
【請求項１】
光通過孔と、前記光通過孔の孔壁から外側へ延設される変形部と、前記変形部から外側へ延設される固定部とを有する遮光シートであって、
前記変形部は、本体部と、前記光通過孔に連通する複数の切欠部とを備え、
前記切欠部は、当該遮光シートの上表面と下表面を貫通していることを特徴とする遮光シート。
【請求項２】
前記切欠部は、第１の断面と、前記第１の断面と対向して設置された第２の断面と、前記第１の断面と前記第２の断面を接続する接続面とを有し、
前記第１の断面と前記第２の断面とは第１のなす角θ１をなしており、前記なす角θ１は０°≦θ１＜１８０°を満足することを特徴とする請求項１に記載の遮光シート。
【請求項３】
前記切欠部は、４つが設けられ、且つ軸対称に設置されていることを特徴とする請求項１に記載の遮光シート。
【請求項４】
鏡筒と、前記鏡筒内に設置され、且つ、前記鏡筒に接続されたレンズ群とを備え、前記鏡筒が、光通過孔が設けられる第１の筒壁と、前記第１の筒壁から折り曲げられて延設される第２の筒壁と、前記第１の筒壁と第２の筒壁により取り囲まれて形成された収容空間とを備え、前記レンズ群が、物体側から像側へ順次に積層配置され、共通の光軸を有する第１の遮光シートと、第２の遮光シートと、第２のレンズとを備え、前記第２のレンズは、光学結像部と、前記光学結像部の周辺に設けられた周辺部と、を備えるレンズモジュールであって、
前記第１の遮光シートは、第１の光通過孔と、前記第１の光通過孔の孔壁から外側へ延設される第１の変形部と、前記第１の変形部から外側へ延設される第１の固定部とを有し、前記第１の変形部は、前記第１の固定部と同一の平面に位置せず、前記第１の変形部は、第１の本体部と、前記第１の光通過孔に連通する複数の第１の切欠部とを備え、前記第１の切欠部は前記第１の遮光シートの上表面と下表面を貫通しており、
前記第２の遮光シートは、第２の光通過孔と、前記第２の光通過孔の孔壁から外側へ延設される第２の変形部と、前記第２の変形部から外側へ延設される第２の固定部とを有し、前記第２の変形部は、前記第２の固定部と同一の平面に位置せず、前記第２の変形部は、第２の本体部と、前記第２の光通過孔に連通する複数の第２の切欠部とを備え、前記第２の切欠部は、前記第２の遮光シートの上表面と下表面を貫通しており、
前記第１の切欠部の、光軸方向における投影は前記第２の本体部に位置し、前記第２の切欠部の、光軸方向における投影は、前記第１の本体部に位置していることを特徴とするレンズモジュール。
【請求項５】
前記第１の筒壁と、前記第１の遮光シートと、前記第２の遮光シートと、前記第２のレンズの周辺部とにより遮光機構が形成されていることを特徴とする請求項４に記載のレンズモジュール。
【請求項６】
前記第１の筒壁と前記第１の遮光シートとの間にさらに第１のレンズが設けられ、
前記第１のレンズは、光学結像部と、前記光学結像部の周辺に設けられた周辺部とを備え、
前記第１のレンズの周辺部と、前記第１の遮光シートと、前記第２の遮光シートと、前記第２のレンズの周辺部とにより、遮光機構が形成されていることを特徴とする請求項４に記載のレンズモジュール。
【請求項７】
前記第２のレンズの周辺部に、前記第１の筒壁の方向へ突出する突起部が設けられ、
前記突起部は、前記第２の本体部に当接していることを特徴とする請求項５又は６に記載のレンズモジュール。
【請求項８】
前記第１のレンズの周辺部に、第２のレンズの方向へ突出する突起部が設けられ、
前記突起部は、前記第１の本体部に当接していることを特徴とする請求項６に記載のレンズモジュール。
【請求項９】
前記第１の切欠部は、第３の断面と、前記第３の断面と対向して設置された第４の断面と、前記第３の断面と前記第４の断面とを接続する第１の接続面とを有し、前記第３の断面と前記第４の断面とは第２のなす角θ２をなしており、前記なす角θ２は、０°≦θ２＜１８０°を満足し、
前記第２の切欠部は、第５の断面と、前記第５の断面と対向して設置された第６の断面と、前記第５の断面と前記第６の断面とを接続する第２の接続面とを有し、前記第５の断面と前記第６の断面とは第３のなす角θ３をなしており、前記なす角θ３は、０°≦θ３＜１８０°を満足することを特徴とする請求項４に記載のレンズモジュール。
【請求項１０】
前記レンズモジュールは、前記第２のレンズの下方に設けられた少なくとも１つの第３のレンズをさらに備え、前記第２のレンズと隣接する第３のレンズとの間に前記遮光機構が形成されていることを特徴とする請求項５乃至８の何れか１項に記載のレンズモジュール。
【発明の詳細な説明】
【技術分野】
【０００１】
本発明は、遮光シート及び遮光シートを有するレンズモジュールに関する。
【背景技術】
【０００２】
科学技術が絶えず発展していることに伴い、電子デバイスは、絶えずスマート化へ発展していく。デジタルカメラの他に、例えばタブレットＰＣ、携帯電話などの携帯式電子デバイスにもレンズモジュールが配置されている。人々の使用ニーズを満足するために、レンズモジュールにより撮影された物体の映像品質に対してもより高い要求が求められている。撮影された物体の映像品質は、一定の程度で迷光に関係している。
【０００３】
関連する技術におけるレンズモジュールは、光通過孔が開設されたレンズ鏡筒と、レンズ鏡筒内に設けられたレンズ群とを備え、レンズ群は、少なくとも二枚の光学レンズと、第１のレンズと第２のレンズとの間に設けられた遮光シートとを備える。迷光の発生により、結像効果に影響を与えることを防止するために、当該遮光シートは、不要な光線を遮断するために用いられている。然しながら、生産製造中に、遮光シートは、厚さが非常に薄く、材質も脆弱であるため、非常に変形しやすく、又は所定の組立位置からずれやすく、期待の遮光効果を達成することができない。
【０００４】
従って、新型の遮光シートを提供する必要がある。
【発明の概要】
【発明が解決しようとする課題】
【０００５】
本発明は、組み立てが容易であり、遮光性の良い遮光シート、及び該遮光シートを有するレンズモジュールを提供することを目的としている。
【課題を解決するための手段】
【０００６】
本発明の技術案は、以下の通りである。本発明の遮光シートは、光通過孔と、前記光通過孔の孔壁から外側へ延設される変形部と、前記変形部から外側へ延設される固定部とを有し、前記変形部は本体部と、前記光通過孔に連通する複数の切欠部とを備え、前記切欠部は当該遮光シートの上表面と下表面を貫通している。
【０００７】
好ましくは、前記切欠部は第１の断面と、前記第１の断面と対向して設置された第２の断面と、前記第１の断面と前記第２の断面を接続する接続面とを有し、前記第１の断面と前記第２の断面とは第１のなす角θ１をなしており、前記第１のなす角θ１は、０°≦θ１＜１８０°を満足する。
【０００８】
好ましくは、前記切欠部は、４つが設けられ、且つ軸対称に設置されている。
【０００９】
レンズモジュールであって、該レンズモジュールは、鏡筒と、前記鏡筒内に設置され、且つ、前記鏡筒に接続されたレンズ群とを備える。前記鏡筒は、光通過孔が設けられた第１の筒壁と、前記第１の筒壁から折り曲げられて延設されている第２の筒壁と、前記第１の筒壁と第２の筒壁により取り囲まれて形成された収容空間とを備え、前記レンズ群は、物体側から像側へ順次に積層配置され、共通の光軸を有する第１の遮光シートと、第２の遮光シートと、第２のレンズとを備え、前記第２のレンズは、光学結像部と、前記光学結像部の周辺に設けられた周辺部とを備え、前記第１の遮光シートは、第１の光通過孔と、前記第１の光通過孔の孔壁から外側へ延設される第１の変形部と、前記第１の変形部から外側へ延設される第１の固定部とを有し、前記第１の変形部は前記第１の固定部と同一の平面に位置せず、前記第１の変形部は、第１の本体部と、前記第１の光通過孔に連通する複数の第１の切欠部とを備え、前記第１の切欠部は前記第１の遮光シートの上表面と下表面を貫通しており、前記第２の遮光シートは、第２の光通過孔と、前記第２の光通過孔の孔壁から外側へ延設される第２の変形部と、前記第２の変形部から外側へ延設される第２の固定部とを有し、前記第２の変形部は前記第２の固定部と同一の平面に位置せず、前記第２の変形部は第２の本体部と、前記第２の光通過孔に連通する複数の第２の切欠部とを備え、前記第２の切欠部は前記第２の遮光シートの上表面と下表面を貫通しており、前記第１の切欠部の、光軸方向における投影は前記第２の本体部に位置し、前記第２の切欠部の、光軸方向における投影は前記第１の本体部に位置している。
【００１０】
好ましくは、前記第１の筒壁と、前記第１の遮光シートと、前記第２の遮光シートと、前記第２のレンズの周辺部とにより遮光機構が形成されている。
【００１１】
好ましくは、前記第１の筒壁と前記第１の遮光シートとの間にさらに第１のレンズが設けられ、前記第１のレンズは光学結像部と、前記光学結像部の周辺に設けられた周辺部とを備え、前記第１のレンズの周辺部と、前記第１の遮光シートと、前記第２の遮光シートと、前記第２のレンズの周辺部とにより、遮光機構が形成されている。
【００１２】
好ましくは、前記第２のレンズの周辺部に、前記第１の筒壁の方向へ突出する突起部が設けられ、前記突起部は前記第２の本体部に当接している。
【００１３】
好ましくは、前記第１のレンズの周辺部に、第２のレンズの方向へ突出する突起部が設けられ、前記突起部は前記第１の本体部に当接している。
【００１４】
好ましくは、前記第１の切欠部は第３の断面と、前記第３の断面と対向して設置された第４の断面と、前記第３の断面と前記第４の断面とを接続する第１の接続面とを有し、前記第３の断面と前記第４の断面とは第２のなす角θ２をなしており、前記第２のなす角θ２は、０°≦θ２＜１８０°を満足し、前記第２の切欠部は第５の断面と、前記第５の断面と対向して設置された第６の断面と、前記第５の断面と前記第６の断面とを接続する第２の接続面とを有し、前記第５の断面と前記第６の断面とは第３のなす角θ３をなしており、前記第３のなす角θ３は、０°≦θ３＜１８０°を満足する。
【００１５】
好ましくは、前記レンズモジュールは、前記第２のレンズの下方に設けられた少なくとも１つの第３のレンズをさらに備え、前記第２のレンズと隣接する第３のレンズとの間に前記遮光機構が形成されている。
【発明の効果】
【００１６】
本発明の有益な効果は、レンズのつや消し面積を減少させ、製造コストを低減させ、遮光効果が効果的に改善し、結像品質を向上させることである。
【図面の簡単な説明】
【００１７】
【図１ａ】本発明に係るレンズモジュールの第１の実施例の構成を示す模式図である。
【図１ｂ】図１ａにおけるＡ部分の拡大図である。
【図１ｃ】図１における遮光機構の分解斜視図である。
【図２】図１における第１のレンズの構成を示す模式図である。
【図３】図１における第２のレンズの構成を示す模式図である。
【図４】図１における第１の遮光シートの正面図である。
【図５】図１における第２の遮光シートの正面図である。
【図６】本発明に係る遮光シートのもう一つの実施例の正面図である。
【図７ａ】本発明に係るレンズモジュールの第２の実施例の構成を示す模式図である。
【図７ｂ】図７ａにおけるＡ’部分の拡大図である。
【発明を実施するための最良の形態】
【００１８】
以下、図面と実施形態を参照しながら、本発明をさらに説明する。
＜第１の実施例＞
【００１９】
図１ａに示すように、レンズモジュール１００は、鏡筒１０１と、鏡筒１０１内に設置され、鏡筒１０１に接続されたレンズ群とを備える。鏡筒１０１は、光通過孔１０１Ｃが開設された第１の筒壁１０１Ａと、第１の筒壁１０１Ａから折り曲げられて延設される第２の筒壁１０１Ｂと、第１の筒壁１０１Ａと第２の筒壁１０１Ｂにより形成された収容空間１０１Ｄとを備える。レンズ群は、物体側から像側へ順次に積層された第１のレンズ１０２と、第１の遮光シート１０３と、第２の遮光シート１０４と、第２のレンズ１０５とを備え、これら第１のレンズ１０２、第１の遮光シート１０３、第２の遮光シート１０４、及び第２のレンズ１０５は、鏡筒１０１の軸（光軸１０６）方向において配置されている。
【００２０】
図２に示すように、第１のレンズ１０２は、光軸１０６に近い結像光学部１０２Ｂと、前記結像光学部１０２Ｂの周辺に設けられた周辺部１０２Ａとを備える。周辺部１０２Ａは、第１のレンズ１０２の縁部から光軸１０６への方向において順次に、第１の平面１０２１と、第１の平面１０２１から物体側へ傾斜して延設される第１の斜面１０２２とを備える。
【００２１】
図３に示すように、第２のレンズ１０５は、光軸１０６に近い結像光学部１０５Ｂと、前記結像光学部１０５Ｂの周辺に設けられた周辺部１０５Ａとを備え、周辺部１０５Ａは、第２のレンズ１０５の縁部から光軸１０６への方向において順次に、第２の平面１０５１と、第２の平面１０５１から物体側へ突出する突起部１０８とを備える。
【００２２】
本実施例において、突起部１０８は、第２の平面１０５１に接続された第２の斜面１０８Ｂと、第２のレンズ１０５の結像光学部１０５Ｂに近い第３の斜面１０８Ａとを備える。他の実施例において、突起部は他の形状、例えば円弧状、四方形などであってもよい。
【００２３】
突起部１０８の底部から第２のレンズ１０５の縁部までの水平距離は、ｄ２であり、突起部１０８の底部から最高点までの斜面の長さは、ｄ４である。
【００２４】
図４に示すように、第１の遮光シート１０３は、外径がＲ２であり、第１の光通過孔１０３Ｅと、第１の光通過孔１０３Ｅの孔壁から外側へ延設される第１の変形部１０３Ｂと、第１の変形部１０３Ｂから外側へ延設される第１の固定部１０３Ａとを有し、第１の光通過孔１０３Ｅの孔径はＲ１であり、第１の変形部１０３Ｂは第１の本体部１０３Ｃと、第１の光通過孔１０３Ｅに連通する複数の第１の切欠部１０３Ｄとを備え、第１の変形部１０３Ｂは、第１の固定部１０３Ａと同一の平面に位置せず、第１の切欠部１０３Ｄは第１の遮光シート１０３の上表面と下表面を貫通している。第１の切欠部１０３Ｄは、第３の断面１０３５と、第３の断面１０３５と対向して設置された第４の断面１０３６と、第３の断面１０３５と第４の断面１０３６とを接続する第１の接続面１０３７とを有し、第１の接続面１０３７が位置する円の半径はＲ３であり、第１の接続面１０３７から第１の遮光シート１０３の最も外側の縁部までの最短距離はｄ１であり、第３の断面１０３５と第４の断面１０３６とのなす角は、第２のなす角θ２である。
【００２５】
本実施例において、θ２＝０であり、これにより、第１の遮光シート１０３の有効な遮光面積を最大化し、遮光効果を向上させることができる。他の実施例において、実際の需要に応じて、θ２は他の角度であってもよく、且つ０°≦θ２＜１８０°を満足する。
【００２６】
本実施例において、第１の切欠部１０３Ｄは、４つが設けられ、且つ軸対称に設置されている。他の実施例において、第１の切欠部は、他の数Ｎであってもよく、且つＮ≧２を満足する。
【００２７】
本実施例において、第１の接続面１０３７は第１の光通過孔１０３Ｅと同軸の円筒面であり、半径はＲ３であり、Ｒ１＜Ｒ３＜Ｒ２である。他の実施例において、第１の接続面は、実際の需要に応じて、他の形状、例えば平面などに変えてもよい。
【００２８】
第１の変形部１０３Ｂは、外力を受けて上表面の方向又は下表面の方向へ折り曲げることができる。
【００２９】
図５に示すように、第２の遮光シート１０４は、外径がＲ５であり、第２の光通過孔１０４Ｅと、第２の光通過孔１０４Ｅの孔壁から外側へ延設される第２の変形部１０４Ｂと、第２の変形部１０４Ｂから外側へ延設される第２の固定部１０４Ａとを有し、第２の光通過孔１０４Ｅの孔径はＲ４であり、第２の変形部１０４Ｂは第２の本体部１０４Ｃと、第２の光通過孔１０４Ｅに連通する複数の第２の切欠部１０４Ｄとを備え、第２の変形部１０４Ｂは、第２の固定部１０４Ａと同一の平面に位置せず、第２の切欠部１０４Ｄは第２の遮光シート１０４の上表面と下表面を貫通している。第２の切欠部１０４Ｄは第５の断面１０４５と、第５の断面１０４５と対向して設置された第６の断面１０４６と、第５の断面１０４５と第６の断面１０４６とを接続する第２の接続面１０４７とを有し、第２の接続面１０４７の位置する円の半径はＲ６であり、第２の接続面１０４７から第２の遮光シート１０４の最も外側の縁部までの最短距離はｄ３であり、第５の断面１０４５と第６の断面１０４６とのなす角は、第３のなす角θ３である。
【００３０】
本実施例において、θ３＝０であり、これにより、第２の遮光シート１０４の有効な遮光面積を最大化し、遮光効果を向上させることができる。他の実施例において、実際の需要に応じて、θ３は他の角度であってもよく、且つ０°≦θ３＜１８０°を満足する。
【００３１】
本実施例において、第２の切欠部１０４Ｄは、４つが設けられ、且つ軸対称に設置されている。他の実施形態において、第２の切欠部は、他の数Ｎであってもよく、且つＮ≧２を満足する。
【００３２】
本実施例において、第２の接続面１０４７は第２の光通過孔１０４Ｅと同軸の円筒面であり、半径はＲ６であり、Ｒ４＜Ｒ６＜Ｒ５である。他の実施例において、第１の接続面は、実際の需要に応じて、他の形状、例えば平面などに変えてもよい。
【００３３】
第２の変形部１０４Ｂは、外力を受けて上表面の方向又は下表面の方向へ折り曲げることができる。
【００３４】
図１ｃに示すように、第２の遮光シート１０４は第１の遮光シート１０３に対して４５°ずらして取り付けられており、第１の切欠部１０３Ｄの、光軸方向における投影は第２の本体部１０４Ｃに位置し、第２の切欠部１０４Ｄの、光軸方向における投影は第１の本体部１０３Ｃに位置していることにより、レンズは３６０°において漏光しない状態を確保することができ、迷光の発生を防止及び低減することができる。
【００３５】
他の実施例において、第１の遮光シートと第２の遮光シートの取り付け角度は、実際な需要及び遮光シートの構成に応じて異なってもよい。
【００３６】
図１ａと図１ｂに示すように、第１の遮光シート１０３の第１の固定部１０３Ａと第２の遮光シート１０４の第２の固定部１０４Ａは、第１の平面１０２１と第２の平面１０５１により挟まれて固定されており、第２の遮光シート１０４の第２の変形部１０４Ｂは、突起部１０８の作用によって物体側へ折り曲げられ、第１の斜面１０２２へ貼り合わせられるように変形し、第２の本体部１０４Ｃは、突起部１０８における第２の斜面１０８Ｂに当接し、第１の遮光シート１０３の第１の変形部１０３Ｂも同様に物体側へ折り曲げられ、第１の本体部１０３Ｃは、第１の斜面１０２２に密着する。このような構成により、第１のレンズ１０２の下表面における周辺部は完全に覆われ、第１のレンズ１０２の周辺部１０２Ａと、第１の遮光シート１０３と、第２の遮光シート１０４と、第２のレンズ１０５の周辺部１０５Ａにより、遮光機構が形成され、これにより、レンズは３６０°において漏光しない状態が確保され、迷光の発生を防止及び低減することができる。第１の斜面は、つや消しされなくてもよく、そのため、コストを削減し、結像効果を向上させる。
【００３７】
本実施例において、遮光機構は、２つの遮光シートを有すれば、３６０°において漏光しない効果を達成することができる。他の実施例において、遮光シートの構成及び実際な需要に応じて、遮光効果を確保するように遮光シートの枚数を増加してもよい。
【００３８】
本実施例において、第２のレンズ１０５の外径は遮光シートの外径と同じであり、遮光シートの折り曲げ部分が有効に折り曲げることができるように、さらにｄ１＜ｄ２＋ｄ４、ｄ３＜ｄ２＋ｄ４を満足する。他の実施例において、接続面が突起部における、光軸から離れる一方の側に位置するように確保すればよい。
【００３９】
本実施例において、突起部１０８は、第２のレンズ１０５の上表面に設けられ、突起部１０８は、第２の遮光シート１０４に付勢し、第２の遮光シート１０４を物体側へ折り曲げさせる。他の実施例において、突起部は第１のレンズの下表面に設けられてもよく、第１の遮光シートに付勢し、第１の遮光シートを像側へ折り曲げさせてもよい。つまり、第１のレンズ１０２の周辺部に、第２のレンズ１０５の方向へ突出する突起部を設け、突起部が、第１の遮光シートの第１の本体部１０３Ｃに当接するように構成することができる。
【００４０】
本実施例において、２つのレンズのみが設けられているが、他の実施例において、少なくとも１つの第３のレンズが増設されてもよく、第３のレンズと第２のレンズとの間に２つの類似する遮光シートが設けられ、上記と類似する遮光構成を形成することにより、迷光を遮断することができる。
【００４１】
他の実施例において、第１の遮光シートと第２の遮光シートは他の構成であってもよい。図６に示すように、遮光シート２０１は、外径がＲ２’であり、光通過孔２０１Ｅと、光通過孔２０１Ｅの孔壁から外側へ延設される変形部２０１Ｂと、変形部２０１Ｂから外側へ延設される固定部２０１Ａとを有し、光通過孔２０１Ｅの孔径はＲ１’であり、変形部２０１Ｂは本体部２０１Ｃと、光通過孔２０１Ｅに連通する複数の切欠部２０１Ｄとを備え、切欠部２０１Ｄは、遮光シート２０１の上表面と下表面を貫通している。
【００４２】
切欠部２０１Ｄは、第１の断面２０１５と、第１の断面２０１５と対向して設置された第２の断面２０１６と、第１の断面２０１５と第２の断面２０１６とを接続する接続面２０１７とを有し、接続面２０１７の位置する円の半径はＲ３’であり、接続面２０１７から遮光シート２０１の最も外側の縁部までの最短距離はｄ１’であり、第１の断面２０１５と第２の断面２０１６とのなす角は、第１のなす角θ１である。
【００４３】
本実施例において、θ１≠０であり、これにより、遮光シートの打ち抜き歩留まりを向上させ、製造コストを削減することができる。他の実施例において、実際の需要に応じて、θ２は他の角度であってもよく、且つ０°≦θ２＜１８０°を満足する。
【００４４】
本実施例において、切欠部２０１Ｄは４つが設けられ、且つ軸対称に設置されている。他の実施例において、切欠部は、他の数Ｎであってもよく、且つＮ≧２を満足する。
【００４５】
本実施例において、接続面２０１７は光通過孔２０１Ｅと同軸の円筒面であり、半径はＲ３’であり、Ｒ１’＜Ｒ３’＜Ｒ２’である。他の実施形態において、第１の接続面は、実際の需要に応じて、他の形状、例えば平面などに変えてもよい。
【００４６】
変形部２０１Ｂは、外力を受けて上表面の方向又は下表面の方向へ折り曲げることができる。
【００４７】
実際にレンズに応用される際、漏光を避けるために、ｄ１’の長さ、第１のなす角θ１の角度の大きさを調整してもよく、複数の遮光シートを交錯して使用してもよい。
＜第２の実施例＞
【００４８】
図７ａと図７ｂに示すように、本実施例と第１の実施例との相違点は、本実施例において、レンズモジュール３００の第１の筒壁３０１Ａと、第１の遮光シート３０３と、第２の遮光シート３０４と、第２のレンズ３０５の周辺部により、遮光機構が形成され、第１の遮光シート３０３の第１の本体部３０３Ｂは、第１の筒壁３０１Ａにおける第４の斜面３０１１に密着していることだけである。
【００４９】
本実施例において、１つのレンズのみが設けられているが、他の実施例において、少なくとも１つの第３のレンズが増設されてもよく、第３のレンズと第２のレンズとの間に２つの類似する遮光シートが設けられ、上述した第１の実施例と類似する遮光構成を形成することにより、迷光を遮断する。
【００５０】
上述したのは、本発明の実施形態に過ぎず、当業者にとっては、本発明の主旨を逸脱しない限り、さらに改良することができ、これらの変更はすべて本発明の保護範囲に含まれる。
【図１ａ】
2018013761.tif 000003
【図１ｂ】
2018013761.tif 000004
【図１ｃ】
2018013761.tif 000005
【図２】
2018013761.tif 000006
【図３】
2018013761.tif 000007
【図４】
2018013761.tif 000008
【図５】
2018013761.tif 000009
【図６】
2018013761.tif 000010
【図７ａ】
2018013761.tif 000011
【図７ｂ】
2018013761.tif 000012
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
鏡筒と、前記鏡筒内に設置され、且つ、前記鏡筒に接続されたレンズ群とを備え、前記鏡筒が、光通過孔が設けられる第１の筒壁と、前記第１の筒壁から折り曲げられて延設される第２の筒壁と、前記第１の筒壁と第２の筒壁により取り囲まれて形成された収容空間とを備え、前記レンズ群が、物体側から像側へ順次に積層配置され、共通の光軸を有する第１の遮光シートと、第２の遮光シートと、第２のレンズとを備え、前記第２のレンズは、光学結像部と、前記光学結像部の周辺に設けられた周辺部と、を備えるレンズモジュールであって、
前記第１の遮光シートは、第１の光通過孔と、前記第１の光通過孔の孔壁から外側へ延設される第１の変形部と、前記第１の変形部から外側へ延設される第１の固定部とを有し、前記第１の変形部は、前記第１の固定部と同一の平面に位置せず、前記第１の変形部は、第１の本体部と、前記第１の光通過孔に連通する複数の第１の切欠部とを備え、前記第１の切欠部は前記第１の遮光シートの上表面と下表面を貫通しており、
前記第２の遮光シートは、第２の光通過孔と、前記第２の光通過孔の孔壁から外側へ延設される第２の変形部と、前記第２の変形部から外側へ延設される第２の固定部とを有し、前記第２の変形部は、前記第２の固定部と同一の平面に位置せず、前記第２の変形部は、第２の本体部と、前記第２の光通過孔に連通する複数の第２の切欠部とを備え、前記第２の切欠部は、前記第２の遮光シートの上表面と下表面を貫通しており、
前記第１の切欠部の、光軸方向における投影は前記第２の本体部に位置し、前記第２の切欠部の、光軸方向における投影は、前記第１の本体部に位置していることを特徴とするレンズモジュール。
【請求項２】
前記第１の筒壁と、前記第１の遮光シートと、前記第２の遮光シートと、前記第２のレンズの周辺部とにより遮光機構が形成されていることを特徴とする請求項１に記載のレンズモジュール。
【請求項３】
前記第１の筒壁と前記第１の遮光シートとの間にさらに第１のレンズが設けられ、
前記第１のレンズは、光学結像部と、前記光学結像部の周辺に設けられた周辺部とを備え、
前記第１のレンズの周辺部と、前記第１の遮光シートと、前記第２の遮光シートと、前記第２のレンズの周辺部とにより、遮光機構が形成されていることを特徴とする請求項１に記載のレンズモジュール。
【請求項４】
前記第２のレンズの周辺部に、前記第１の筒壁の方向へ突出する突起部が設けられ、
前記突起部は、前記第２の本体部に当接していることを特徴とする請求項２又は３に記載のレンズモジュール。
【請求項５】
前記第１のレンズの周辺部に、第２のレンズの方向へ突出する突起部が設けられ、
前記突起部は、前記第１の本体部に当接していることを特徴とする請求項３に記載のレンズモジュール。
【請求項６】
前記第１の切欠部は、第３の断面と、前記第３の断面と対向して設置された第４の断面と、前記第３の断面と前記第４の断面とを接続する第１の接続面とを有し、前記第３の断面と前記第４の断面とは第２のなす角θ２をなしており、前記なす角θ２は、０°≦θ２＜１８０°を満足し、
前記第２の切欠部は、第５の断面と、前記第５の断面と対向して設置された第６の断面と、前記第５の断面と前記第６の断面とを接続する第２の接続面とを有し、前記第５の断面と前記第６の断面とは第３のなす角θ３をなしており、前記なす角θ３は、０°≦θ３＜１８０°を満足することを特徴とする請求項１に記載のレンズモジュール。
【請求項７】
前記レンズモジュールは、前記第２のレンズの下方に設けられた少なくとも１つの第３のレンズをさらに備え、前記第２のレンズと隣接する第３のレンズとの間に前記遮光機構が形成されていることを特徴とする請求項２乃至５の何れか１項に記載のレンズモジュール。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】